(57)【要約】      （修正有）【課題】浴室暖房乾燥装置に付加してミスト発生装置を設け、浴室内をサウナ室として利用できるもの浴室サウナ装置において、使用者が手間をかけることなく待機時間を短くすることができる浴室サウナシステムを提供することを目的としている。【解決手段】浴室サウナシステムは浴室サウナ装置２と浴室床暖房装置３からなり、浴室サウナ装置２は浴室内の空気を循環させる循環手段としての循環ファン４と、前記循環手段によって吸込まれた浴室内空気に熱を供給する熱供給手段としてのＰＴＣヒータ５と、ミスト状の水を噴霧するミスト噴霧手段と、浴室床暖房装置３との通信手段７とを備え、浴室床暖房装置３は浴室サウナ装置２との通信手段８を備え、浴室サウナ装置２の運転に連動して、浴室床暖房装置３が運転することにより、使用者が手間をかけることなく待機時間を短くすることができる浴室サウナシステムが得られる。【選択図】図１
2008237281.tif 000002
【特許請求の範囲】
【請求項１】
浴室をサウナ空間にする浴室サウナ装置と、浴室床を暖房する浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床暖房装置との通信手段とを備え、浴室床暖房装置は前記浴室サウナ装置との通信手段を備え、浴室サウナ装置がサウナ運転を開始すると、前記通信手段を介して浴室床暖房装置が運転を開始することを特徴とする浴室サウナシステム。
【請求項２】
浴室サウナ装置がサウナ運転を開始すると、前記通信手段を介して浴室床暖房装置が運転を開始し、所定時間が経過すると、浴室床暖房装置の運転が停止することを特徴とする請求項１記載の浴室サウナシステム。
【請求項３】
浴室内温度を測定する温度センサを備えた浴室サウナ装置であって、前記温度センサの値が所定値を超えていると、浴室サウナ装置がサウナ運転を開始しても、浴室床暖房装置が運転を開始しないことを特徴とする請求項１または２記載の浴室サウナシステム。
【請求項４】
浴室床温度を測定する非接触型温度センサを備えた浴室サウナ装置であって、前記非接触型温度センサの値が所定値を超えていると、浴室サウナ装置がサウナ運転を開始しても、浴室床暖房装置が運転を開始しないことを特徴とする請求項１または２記載の浴室サウナシステム。
【請求項５】
浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度センサと、浴室床暖房装置との通信手段とを備え、浴室床暖房装置は前記浴室サウナ装置との通信手段を備え、前記温度センサの値により、浴室サウナ装置がサウナ運転を開始する際に、浴室床暖房装置の運転もしくは停止を制御することを特徴とする浴室サウナシステム。
【請求項６】
前記温度センサの値が所定値以下であると、浴室サウナ装置がサウナ運転を開始すると、浴室床暖房装置が運転を開始することを特徴とする請求項５記載の浴室サウナシステム。
【請求項７】
浴室床暖房装置が運転を開始し、所定時間が経過すると、浴室床暖房装置の運転が停止することを特徴とする請求項６記載の浴室サウナシステム。
【請求項８】
浴室床暖房装置が運転を開始し、前記温度センサの値が所定以上になると、浴室床暖房装置の運転が停止することを特徴とする請求項６記載の浴室サウナシステム。
【請求項９】
浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床温度を測定する非接触型温度センサと、浴室床暖房装置との通信手段とを備え、浴室床暖房装置は前記浴室サウナ装置との通信手段を備え、前記非接触型温度センサの値により、浴室サウナ装置がサウナ運転を開始する際に、浴室床暖房装置の運転もしくは停止を制御することを特徴とする浴室サウナシステム。
【請求項１０】
前記非接触型温度センサの値が所定値以下であると、浴室サウナ装置がサウナ運転を開始すると、浴室床暖房装置が運転を開始することを特徴とする請求項９記載の浴室サウナシステム。
【請求項１１】
浴室床暖房装置が運転を開始し、所定時間が経過すると、浴室床暖房装置の運転が停止することを特徴とする請求項１０記載の浴室サウナシステム。
【請求項１２】
浴室床暖房装置が運転を開始し、前記非接触型温度センサの値が所定値以上になると、浴室床暖房装置の運転が停止することを特徴とする請求項１０記載の浴室サウナシステム。
【請求項１３】
浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度センサと、浴室床温度を測定する非接触型温度センサと、浴室床暖房装置との通信手段とを備え、浴室床暖房装置は前記浴室サウナ装置との通信手段を備え、前記非接触型温度センサの値が所定値以下であると、浴室サウナ装置がサウナ運転を開始すると、浴室床暖房装置が運転を開始し、前記温度センサが所定値を超えると浴室床暖房装置を停止することを特徴とする浴室サウナシステム。
【発明の詳細な説明】
【技術分野】
【０００１】
本発明は、浴室サウナ装置と浴室床暖房装置とからなる浴室サウナシステムに関する。
【背景技術】
【０００２】
近年、浴室の天井に取り付けて、浴室内の暖房や換気を行うとともに、浴室内に吊した洗濯後の衣類を乾燥できる浴室暖房乾燥装置が普及してきている。さらにはこれらの機能に付加してミスト発生装置を設け、浴室内をサウナ室として利用できるものが提案されている。
【０００３】
従来、この種の浴室サウナ装置は、下記に記載されたものが知られている（例えば特許文献１）。
【０００４】
以下、その浴室サウナ装置について図１１を参照しながら説明する。
【０００５】
図に示すように浴室サウナ装置は、温水によるミストを噴出するミスト発生装置１０１と、浴室の暖房および換気を行う浴室暖房換気乾燥装置１０２と、ミスト発生装置１０１に温水を供給するヒートポンプ供給システム１０３を備え、浴室の暖房時は、ヒートポンプ給湯システム１０３から供給された温水でミスト発生装置１０１によりミストを噴出すると共に、浴室暖房換気乾燥装置１０２で温風による浴室の暖房を行うことにより、浴室をミストサウナ状態とするものである。
【特許文献１】特開２００６−３２２６９４号公報
【発明の開示】
【発明が解決しようとする課題】
【０００６】
このような従来の浴室サウナ装置では、冬期等で浴室内温度や床面温度が低い場合、浴室サウナ装置内での加熱により水蒸気化したミストが浴室壁面や床面で冷却され再結露し、浴室内の湿度の上昇速度が低下するために、サウナ運転開始から入浴できるまでの待機時間が長くなるという課題や、待機時間を短くするためには使用者がシャワー等で浴室床面を暖める手間がかかるという課題があり、使用者が手間をかけることなく待機時間を短くすることが要求されている。
【０００７】
本発明は、このような従来の課題を解決するものであり、使用者が手間をかけることなく、待機時間を短くすることができる浴室サウナシステムを提供することを目的としている。
【課題を解決するための手段】
【０００８】
本発明の浴室サウナシステムは上記目的を達成するために、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床暖房装置との通信手段とを備え、浴室床暖房装置は前記浴室サウナ装置との通信手段を備え、浴室サウナ装置がサウナ運転を開始すると、前記通信手段を介して浴室床暖房装置が運転を開始するものである。
【０００９】
この手段により、サウナ運転開始と同時に浴室床面を暖めることができ、使用者が手間をかけることなく待機時間を短くすることができる浴室サウナシステムが得られる。
【００１０】
また、本発明の浴室サウナシステムは上記目的を達成するために、浴室サウナ装置がサウナ運転を開始すると、前記通信手段を介して浴室床暖房装置が運転を開始し、所定時間が経過すると、浴室床暖房装置の運転が停止するものである。
【００１１】
この手段により、サウナ運転開始と同時に浴室床面を暖めることができ、また自動で浴室床暖房装置を停止でき、使用者が手間をかけることなく待機時間を短くすることができる浴室サウナシステムが得られる。
【００１２】
また、本発明の浴室サウナシステムは上記目的を達成するために、浴室内温度を測定する温度検知手段を備えた浴室サウナ装置であって、前記温度検知手段の値が所定値を超えていると、浴室サウナ装置がサウナ運転を開始しても、浴室床暖房装置が運転を開始しないものである。
【００１３】
この手段により、浴室内温度が低い場合にサウナ運転時に浴室床面を暖めることができ、使用者が手間をかけることなく待機時間を短くすることができる浴室サウナシステムが得られる。
【００１４】
また、本発明の浴室サウナシステムは上記目的を達成するために、浴室床温度を測定する非接触型温度検知手段を備えた浴室サウナ装置であって、前記非接触型温度検知手段の値が所定値を超えていると、浴室サウナ装置がサウナ運転を開始しても、浴室床暖房装置が運転を開始しないものである。
【００１５】
この手段により、浴室床温度が低い場合にサウナ運転時に浴室床面を暖めることができ、使用者が手間をかけることなく待機時間を短くすることができる浴室サウナシステムが得られる。
【００１６】
また、本発明の浴室サウナシステムは上記目的を達成するために、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床暖房装置との通信手段とを備え、浴室床暖房装置は前記浴室サウナ装置との通信手段を備え、前記温度検知手段の値により、浴室サウナ装置がサウナ運転を開始する際に、浴室床暖房装置の運転もしくは停止を制御するものである。
【００１７】
この手段により、必要な時にサウナ運転時に浴室床面を暖めることができ、使用者が手間をかけることなく待機時間を短くすることができる浴室サウナシステムが得られる。
【００１８】
また、本発明の浴室サウナシステムは上記目的を達成するために、前記温度検知手段の値が所定値以下であると、浴室サウナ装置がサウナ運転を開始すると、浴室床暖房装置が運転を開始するものである。
【００１９】
この手段により、浴室内温度が低い場合にサウナ運転時に浴室床面を暖めることができ、使用者が手間をかけることなく待機時間を短くすることができる浴室サウナシステムが得られる。
【００２０】
また、本発明の浴室サウナシステムは上記目的を達成するために、浴室床暖房装置が運転を開始し、所定時間が経過すると、浴室床暖房装置の運転が停止するものである。
【００２１】
この手段により、サウナ運転時に浴室床面を暖めることができ、また自動で浴室床暖房装置を停止でき、使用者が手間をかけることなく待機時間を短くすることができる浴室サウナシステムが得られる。
【００２２】
また、本発明の浴室サウナシステムは上記目的を達成するために、浴室床暖房装置が運転を開始し、前記温度検知手段の値が所定値以上になると、浴室床暖房装置の運転が停止するものである。
【００２３】
この手段により、サウナ運転時に浴室床面を暖めることができ、また自動で浴室床暖房装置を停止でき、使用者が手間をかけることなく待機時間を短くすることができる浴室サウナシステムが得られる。
【００２４】
また、本発明の浴室サウナシステムは上記目的を達成するために、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床温度を測定する非接触型温度検知手段と、浴室床暖房装置との通信手段とを備え、浴室床暖房装置は前記浴室サウナ装置との通信手段を備え、前記非接触型温度検知手段の値により、浴室サウナ装置がサウナ運転を開始する際に、浴室床暖房装置の運転もしくは停止を制御するものである。
【００２５】
この手段により、必要な時にサウナ運転時に浴室床面を暖めることができ、使用者が手間をかけることなく待機時間を短くすることができる浴室サウナシステムが得られる。
【００２６】
また、本発明の浴室サウナシステムは上記目的を達成するために、前記非接触型温度検知手段の値が所定値以下であると、浴室サウナ装置がサウナ運転を開始すると、浴室床暖房装置が運転を開始するものである。
【００２７】
この手段により、浴室床温度が低い場合にサウナ運転時に浴室床面を暖めることができ、使用者が手間をかけることなく待機時間を短くすることができる浴室サウナシステムが得られる。
【００２８】
また、本発明の浴室サウナシステムは上記目的を達成するために、浴室床暖房装置が運転を開始し、所定時間が経過すると、浴室床暖房装置の運転が停止するものである。
【００２９】
この手段により、サウナ運転時に浴室床面を暖めることができ、また自動で浴室床暖房装置を停止でき、使用者が手間をかけることなく待機時間を短くすることができる浴室サウナシステムが得られる。
【００３０】
また、本発明の浴室サウナシステムは上記目的を達成するために、浴室床暖房装置が運転を開始し、前記非接触型温度検知手段の値が所定値以上になると、浴室床暖房装置の運転が停止するものである。
【００３１】
この手段により、サウナ運転時に浴室床面を暖めることができ、また自動で浴室床暖房装置を停止でき、使用者が手間をかけることなく待機時間を短くすることができる浴室サウナシステムが得られる。
【００３２】
また、本発明の浴室サウナシステムは上記目的を達成するために、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床温度を測定する非接触型温度検知手段と、浴室床暖房装置との通信手段とを備え、浴室床暖房装置は前記浴室サウナ装置との通信手段を備え、前記非接触型温度検知手段の値が所定値以下であると、浴室サウナ装置がサウナ運転を開始すると、浴室床暖房装置が運転を開始し、前記温度検知手段が所定値を超えると浴室床暖房装置を停止するものである。
【００３３】
この手段により、浴室床温度が低い場合にサウナ運転時に浴室床面を暖めることができ、また自動で浴室床暖房装置を停止でき、使用者が手間をかけることなく待機時間を短くすることができる浴室サウナシステムが得られる。
【発明の効果】
【００３４】
本発明によれば、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床暖房装置との通信手段とを備え、浴室床暖房装置は前記浴室サウナ装置との通信手段を備え、浴室サウナ装置がサウナ運転を開始すると、前記通信手段を介して浴室床暖房装置が運転を開始するものであり、サウナ運転開始と同時に浴室床面を暖めることができ、使用者が手間をかけることなく待機時間を短くすることができるという効果のある浴室サウナシステムを提供できる。
【００３５】
本発明によれば、浴室サウナ装置がサウナ運転を開始すると、前記通信手段を介して浴室床暖房装置が運転を開始し、所定時間が経過すると、浴室床暖房装置の運転が停止するものであり、サウナ運転時に浴室床面を暖めることができ、また自動で浴室床暖房装置を停止でき、使用者が手間をかけることなく待機時間を短くすることができるという効果のある浴室サウナシステムを提供できる。
【００３６】
本発明によれば、浴室内温度を測定する温度検知手段を備えた浴室サウナ装置であって、前記温度検知手段の値が所定値を超えていると、浴室サウナ装置がサウナ運転を開始しても、浴室床暖房装置が運転を開始しないものであり、浴室内温度が低い場合にサウナ運転時に浴室床面を暖めることができ、使用者が手間をかけることなく待機時間を短くすることができるという効果のある浴室サウナシステムを提供できる。
【００３７】
本発明によれば、浴室床温度を測定する非接触型温度検知手段を備えた浴室サウナ装置であって、前記非接触型温度検知手段の値が所定値を超えていると、浴室サウナ装置がサウナ運転を開始しても、浴室床暖房装置が運転を開始しないものであり、浴室床温度が低い場合にサウナ運転時に浴室床面を暖めることができ、使用者が手間をかけることなく待機時間を短くすることができるという効果のある浴室サウナシステムを提供できる。
【００３８】
本発明によれば、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床暖房装置との通信手段とを備え、浴室床暖房装置は前記浴室サウナ装置との通信手段を備え、前記温度検知手段の値により、浴室サウナ装置がサウナ運転を開始する際に、浴室床暖房装置の運転もしくは停止を制御するものであり、必要な時にサウナ運転時に浴室床面を暖めることができ、使用者が手間をかけることなく待機時間を短くすることができるという効果のある浴室サウナシステムを提供できる。
【００３９】
本発明によれば、前記温度検知手段の値が所定値以下であると、浴室サウナ装置がサウナ運転を開始すると、浴室床暖房装置が運転を開始するものであり、浴室内温度が低い場合にサウナ運転時に浴室床面を暖めることができ、使用者が手間をかけることなく待機時間を短くすることができるという効果のある浴室サウナシステムを提供できる。
【００４０】
本発明によれば、浴室床暖房装置が運転を開始し、所定時間が経過すると、浴室床暖房装置の運転が停止するものであり、サウナ運転時に浴室床面を暖めることができ、また自動で浴室床暖房装置を停止でき、使用者が手間をかけることなく待機時間を短くすることができるという効果のある浴室サウナシステムを提供できる。
【００４１】
本発明によれば、浴室床暖房装置が運転を開始し、前記温度検知手段の値が所定値以上になると、浴室床暖房装置の運転が停止するものであり、浴室内温度が低い場合にサウナ運転時に浴室床面を暖めることができ、使用者が手間をかけることなく待機時間を短くすることができるという効果のある浴室サウナシステムを提供できる。
【００４２】
本発明によれば、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床温度を測定する非接触型温度検知手段と、浴室床暖房装置との通信手段とを備え、浴室床暖房装置は前記浴室サウナ装置との通信手段を備え、前記非接触型温度検知手段の値により、浴室サウナ装置がサウナ運転を開始する際に、浴室床暖房装置の運転もしくは停止を制御するものであり、必要な時にサウナ運転時に浴室床面を暖めることができ、使用者が手間をかけることなく待機時間を短くすることができるという効果のある浴室サウナシステムを提供できる。
【００４３】
本発明によれば、前記非接触型温度検知手段の値が所定値以下であると、浴室サウナ装置がサウナ運転を開始すると、浴室床暖房装置が運転を開始するものであり、浴室床温度が低い場合にサウナ運転時に浴室床面を暖めることができ、使用者が手間をかけることなく待機時間を短くすることができるという効果のある浴室サウナシステムを提供できる。
【００４４】
本発明によれば、浴室床暖房装置が運転を開始し、所定時間が経過すると、浴室床暖房装置の運転が停止するものであり、サウナ運転時に浴室床面を暖めることができ、また自動で浴室床暖房装置を停止でき、使用者が手間をかけることなく待機時間を短くすることができるという効果のある浴室サウナシステムを提供できる。
【００４５】
本発明によれば、浴室床暖房装置が運転を開始し、前記非接触型温度検知手段の値が所定値以上になると、浴室床暖房装置の運転が停止するものであり、サウナ運転時に浴室床面を暖めることができ、また自動で浴室床暖房装置を停止でき、使用者が手間をかけることなく待機時間を短くすることができるという効果のある浴室サウナシステムを提供できる。
【００４６】
本発明によれば、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床温度を測定する非接触型温度検知手段と、浴室床暖房装置との通信手段とを備え、浴室床暖房装置は前記浴室サウナ装置との通信手段を備え、前記非接触型温度検知手段の値が所定値以下であると、浴室サウナ装置がサウナ運転を開始すると、浴室床暖房装置が運転を開始し、前記温度検知手段が所定値を超えると浴室床暖房装置を停止するものであり、浴室床温度が低い場合にサウナ運転時に浴室床面を暖めることができ、また自動で浴室床暖房装置を停止でき、使用者が手間をかけることなく待機時間を短くすることができるという効果のある浴室サウナシステムを提供できる。
【発明を実施するための最良の形態】
【００４７】
本発明の請求項１記載の発明は、浴室をサウナ空間にする浴室サウナ装置と、浴室床を暖房する浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床暖房装置との通信手段とを備え、浴室床暖房装置は前記浴室サウナ装置との通信手段を備え、浴室サウナ装置がサウナ運転を開始すると、前記通信手段を介して浴室床暖房装置が運転を開始するものであり、サウナ運転開始と同時に浴室床面を暖めることができ、使用者が手間をかけることなく待機時間を短くすることができるという作用を有する。
【００４８】
また、浴室サウナ装置がサウナ運転を開始すると、前記通信手段を介して浴室床暖房装置が運転を開始し、所定時間が経過すると、浴室床暖房装置の運転が停止するものであり、また自動で浴室床暖房装置を停止でき、サウナ運転開始と同時に浴室床面を暖めることができ、使用者が手間をかけることなく待機時間を短くすることができるという作用を有する。
【００４９】
また、浴室内温度を測定する温度検知手段を備えた浴室サウナ装置であって、前記温度検知手段の値が所定値を超えていると、浴室サウナ装置がサウナ運転を開始しても、浴室床暖房装置が運転を開始しないものであり、浴室内温度が低い場合にサウナ運転時に浴室床面を暖めることができ、使用者が手間をかけることなく待機時間を短くすることができるという作用を有する。
【００５０】
また、浴室床温度を測定する非接触型温度検知手段を備えた浴室サウナ装置であって、前記非接触型温度検知手段の値が所定値を超えていると、浴室サウナ装置がサウナ運転を開始しても、浴室床暖房装置が運転を開始しないものであり、浴室床温度が低い場合にサウナ運転時に浴室床面を暖めることができ、使用者が手間をかけることなく待機時間を短くすることができるという作用を有する。
【００５１】
さらに本発明の請求項５記載の発明は、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床暖房装置との通信手段とを備え、浴室床暖房装置は前記浴室サウナ装置との通信手段を備え、前記温度検知手段の値により、浴室サウナ装置がサウナ運転を開始する際に、浴室床暖房装置の運転もしくは停止を制御するものであり、必要な時にサウナ運転時に浴室床面を暖めることができ、使用者が手間をかけることなく待機時間を短くすることができるという作用を有する。
【００５２】
また、前記温度検知手段の値が所定値以下であると、浴室サウナ装置がサウナ運転を開始すると、浴室床暖房装置が運転を開始するものであり、浴室内温度が低い場合にサウナ運転時に浴室床面を暖めることができ、使用者が手間をかけることなく待機時間を短くすることができるという作用を有する。
【００５３】
また、浴室床暖房装置が運転を開始し、所定時間が経過すると、浴室床暖房装置の運転が停止するものであり、サウナ運転時に浴室床面を暖めることができ、また自動で浴室床暖房装置を停止でき、使用者が手間をかけることなく待機時間を短くすることができるという作用を有する。
【００５４】
また、浴室床暖房装置が運転を開始し、前記温度検知手段の値が所定値以上になると、浴室床暖房装置の運転が停止するものであり、サウナ運転時に浴室床面を暖めることができ、また自動で浴室床暖房装置を停止でき、使用者が手間をかけることなく待機時間を短くすることができるという作用を有する。
【００５５】
さらに本発明の請求項９記載の発明は、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室床温度を測定する非接触型温度検知手段と、浴室床暖房装置との通信手段とを備え、浴室床暖房装置は前記浴室サウナ装置との通信手段を備え、前記非接触型温度検知手段の値により、浴室サウナ装置がサウナ運転を開始する際に、浴室床暖房装置の運転もしくは停止を制御するものであり、必要な時にサウナ運転時に浴室床面を暖めることができ、使用者が手間をかけることなく待機時間を短くすることができるという作用を有する。
【００５６】
また、前記非接触型温度検知手段の値が所定値以下であると、浴室サウナ装置がサウナ運転を開始すると、浴室床暖房装置が運転を開始するものであり、浴室床温度が低い場合にサウナ運転時に浴室床面を暖めることができ、使用者が手間をかけることなく待機時間を短くすることができるという作用を有する。
【００５７】
また、浴室床暖房装置が運転を開始し、所定時間が経過すると、浴室床暖房装置の運転が停止するものであり、サウナ運転時に浴室床面を暖めることができ、また自動で浴室床暖房装置を停止でき、使用者が手間をかけることなく待機時間を短くすることができるという作用を有する。
【００５８】
また、浴室床暖房装置が運転を開始し、前記非接触型温度検知手段の値が所定値以上になると、浴室床暖房装置の運転が停止するものであり、サウナ運転時に浴室床面を暖めることができ、また自動で浴室床暖房装置を停止でき、使用者が手間をかけることなく待機時間を短くすることができるという作用を有する。
【００５９】
さらに本発明の請求項１３記載の発明は、浴室サウナ装置と、浴室床暖房装置からなり、浴室サウナ装置は浴室内の空気を循環させる循環手段と、前記循環手段によって吸い込まれた浴室内空気に熱を供給する熱供給手段と、ミスト状の水または温水を噴霧するミスト噴霧手段と、浴室内温度を測定する温度検知手段と、浴室床温度を測定する非接触型温度検知手段と、浴室床暖房装置との通信手段とを備え、浴室床暖房装置は前記浴室サウナ装置との通信手段を備え、前記非接触型温度検知手段の値が所定値以下であると、浴室サウナ装置がサウナ運転を開始すると、浴室床暖房装置が運転を開始し、前記温度検知手段が所定値を超えると浴室床暖房装置を停止するものであり、浴室床温度が低い場合にサウナ運転時に浴室床面を暖めることができ、また自動で浴室床暖房装置を停止でき、使用者が手間をかけることなく待機時間を短くすることができるという作用を有する。
【００６０】
以下、本発明の実施の形態について図面を参照しながら説明する。
【００６１】
（実施の形態１）
図１に示すように、浴室サウナシステム１は浴室をサウナ空間にする浴室サウナ装置２と浴室床を暖房する浴室床暖房装置３からなり、浴室サウナ装置２は浴室内の空気を循環させる循環手段としての循環ファン４と、循環ファン４によって吸込まれた浴室内空気に熱を供給する熱供給手段としてのＰＴＣヒータ５と、ノズルなどのミスト状の水を噴霧するミスト噴霧手段６と、浴室床暖房装置３とのシリアル通信などを行う回路などの通信手段７とを備え、浴室床暖房装置３は浴室サウナ装置２との通信手段８と浴室床面に熱を供給する床面における熱供給手段２２としてのヒータを備えたものである。
【００６２】
なお、シリアル通信などを行う回路などの通信手段７と通信手段８は例えば通信線９で電気的に接続している。
【００６３】
次にミスト噴霧手段６の説明をする。ミスト噴霧手段６は水供給手段（図示しない）として、例えば水道に接続された給水管１０より給水弁１１を介してミストノズル１２に水が供給され、水圧を利用してミスト状（数μｍから１００μｍ程度）にし、噴霧する。
【００６４】
次に浴室サウナ装置２の運転状態（運転／停止）と、浴室床暖房装置３との運転状態（運転／停止）の流れを、図２および３を参照しながら説明する。図２に示すように浴室サウナ装置２がサウナ運転を開始すると、浴室サウナ装置２は通信手段７を介して浴室床暖房装置３に床暖房運転開始信号を送信し、タイマーカウントをスタートする。その後タイマーカウントが所定時間のＴ１分例えば２０分以上になると、通信手段７を介して浴室床暖房装置３に床暖房運転停止信号を送信し、タイマーカウントをリセットする。
【００６５】
また図３に示すように、浴室床暖房装置３は浴室サウナ装置２から送信された床暖房運転開始信号を通信手段８を介して受信すると、床暖房運転を開始する。その後浴室サウナ装置２から送信された床暖房運転停止信号を通信手段８を介して受信すると、床暖房運転を停止する。
【００６６】
次にサウナ運転の説明をする。サウナ運転とは、循環ファンなどの循環手段とＰＴＣヒータなどの熱供給手段とノズルなどのミスト噴霧手段６が稼動している運転状態のことを指す。なお循環手段と熱供給手段が稼動してからミスト噴霧手段６が稼動するまでに時間が空く場合のサウナ運転とは、循環手段と熱供給手段が稼動している運転状態のことを指す。
【００６７】
床暖房運転とは熱供給手段２２が熱を供給し、浴室床面を暖房している運転状態のことを指す。
【００６８】
上記構成において、浴室サウナ装置２のサウナ運転開始と同時に、浴室床暖房装置３の床暖房運転を開始しその後自動で床暖房運転を停止することとなり、浴室サウナ装置内での加熱により水蒸気化したミストが浴室床面で冷却され再結露することを抑制し浴室内の湿度の上昇速度が低下することを抑制することができ、使用者が手間をかけることなく待機時間を短くすることとなる。
【００６９】
なお、待機時間とは該浴室内がサウナ空間（室温３５℃以上かつ相対湿度７０％以上）となるまでに要する時間とする。
【００７０】
なお、実施の形態１では給水手段を水道としたが、水道に換えてボイラー等の温水を供給するものであってもよく、その作用効果に差異を生じない。
【００７１】
なお、熱供給手段としてＰＴＣヒータを用いたが、ＰＴＣヒータに換えて温水との熱交換方式によるものであってもよく、その作用効果に差異を生じない。
【００７２】
また、通信手段７と通信手段８との電気的接続を通信線９としたが、通信線９に換えて無線であってもよく、その作用効果に差異を生じない。
【００７３】
また、浴室サウナ装置２は浴室内空気を換気する換気手段を備えていないが、換気扇などの換気手段を備えても良く、その作用効果に差異を生じない。
【００７４】
（実施の形態２）
実施の形態１と同一部分は同一符号を附し詳細な説明は省略する。本実施の形態は実施の形態１の浴室サウナシステム１と同じ構成である。次に、浴室サウナ装置２の運転状態（運転／停止）と、浴室床暖房装置３との運転状態（運転／停止）の流れを、図４および５を参照しながら説明する。
【００７５】
図４に示すように浴室サウナ装置２がサウナ運転を開始すると、浴室サウナ装置２は通信手段７を介して浴室床暖房装置３に床暖房運転開始信号を送信する。また図５に示すように、浴室床暖房装置３は浴室サウナ装置２から送信された床暖房運転開始信号を通信手段８を介して受信すると、床暖房運転を開始し、タイマーカウントをスタートする。その後タイマーカウントが所定時間のＴ２分例えば２０分以上になると、床暖房運転を停止し、タイマーカウントをリセットする。
【００７６】
上記構成において、浴室サウナ装置２のサウナ運転開始と同時に浴室床暖房装置３の床暖房運転を開始し自動で床暖房を停止することとなり、サウナ運転時に浴室床面を速く暖めることができ、使用者が手間をかけることなく待機時間を短くすることとなる。
【００７７】
（実施の形態３）
実施の形態１、２と同一部分は同一符号を附し詳細な説明は省略する。本実施の形態は実施の形態１の浴室サウナ装置２の構成に浴室内温度を測定する温度検知手段としての温度センサ１３を加えた浴室サウナ装置１４と、浴室床暖房装置３とを備えた浴室サウナシステム１５である。温度センサ１３は循環ファン４の吸込み口付近であって浴室内温度を測定できる箇所に配する。
【００７８】
次に浴室サウナ装置１４の運転状態（運転／停止）と、浴室床暖房装置３との運転状態（運転／停止）の流れを、図３および６を参照しながら説明する。図６に示すように浴室サウナ装置１４がサウナ運転を開始すると、温度センサ１３により検知した浴室内温度が所定値のＸ１℃例えば１３℃を越えると、浴室床暖房装置３には床暖房運転開始信号を送信せず、Ｘ１℃以下であると、浴室サウナ装置１４は通信手段７を介して浴室床暖房装置３に床暖房運転開始信号を送信し、タイマーカウントをスタートする。
【００７９】
その後タイマーカウントが所定時間のＴ１分例えば２０分以上になると、通信手段７を介して浴室床暖房装置３に床暖房運転停止信号を送信し、タイマーカウントをリセットする。また図３に示すように、浴室床暖房装置３は浴室サウナ装置１４から送信された床暖房運転開始信号を通信手段８を介して受信すると、床暖房運転を開始する。その後浴室サウナ装置１４から送信された床暖房運転停止信号を通信手段８を介して受信すると、床暖房運転を停止する。
【００８０】
上記構成において、浴室内温度が低い場合に浴室サウナ装置１４のサウナ運転開始時に浴室床暖房装置３の床暖房運転を開始し自動で床暖房を停止することとなり、サウナ運転時に浴室床面を速く暖めることができ、使用者が手間をかけることなく待機時間を短くすることとなる。
【００８１】
（実施の形態４）
実施の形態１乃至３と同一部分は同一符号を附し詳細な説明は省略する。本実施の形態は実施の形態３の浴室サウナシステム１５と同じ構成である。
【００８２】
次に浴室サウナ装置１４の運転状態（運転／停止）と、浴室床暖房装置３との運転状態（運転／停止）の流れを、図３および７を参照しながら説明する。図７に示すように浴室サウナ装置１４がサウナ運転を開始すると、温度センサ１３により検知した浴室内温度が所定値のＸ１℃例えば１３℃を越えると、浴室床暖房装置３には床暖房運転開始信号を送信せず、Ｘ１℃以下であると、浴室サウナ装置１４は通信手段７を介して浴室床暖房装置３に床暖房運転開始信号を送信し、その後温度センサ１３により検知した浴室内温度が所定値のＸ２℃例えば３５℃以上になると、通信手段７を介して浴室床暖房装置３に床暖房運転停止信号を送信する。
【００８３】
また図３に示すように、浴室床暖房装置３は浴室サウナ装置１４から送信された床暖房運転開始信号を通信手段８を介して受信すると、床暖房運転を開始する。その後浴室サウナ装置１４から送信された床暖房運転停止信号を通信手段８を介して受信すると、床暖房運転を停止する。
【００８４】
上記構成において、浴室内温度が低い場合に浴室サウナ装置１４のサウナ運転開始時に浴室床暖房装置３の床暖房運転を開始し自動で床暖房を停止することとなり、サウナ運転時に浴室床面を速く暖めることができ、使用者が手間をかけることなく待機時間を短くすることとなる。
【００８５】
（実施の形態５）
実施の形態１乃至４と同一部分は同一符号を附し詳細な説明は省略する。本実施の形態は実施の形態１の浴室サウナ装置２の構成に浴室床温度を測定する温度検知手段としての非接触型温度センサ１６を加えた浴室サウナ装置１７と、浴室床暖房装置３とを備えた浴室サウナシステム１８である。非接触型温度センサ１６は浴室床温度を測定できる箇所例えばフロントパネル１９に配する。
【００８６】
次に浴室サウナ装置１７の運転状態（運転／停止）と、浴室床暖房装置３との運転状態（運転／停止）の流れを、図３および８を参照しながら説明する。図８に示すように浴室サウナ装置１７がサウナ運転を開始すると、非接触型温度センサ１６により検知した浴室床温度が所定値のＸ３℃例えば１５℃を越えると、浴室床暖房装置３には床暖房運転開始信号を送信せず、Ｘ３℃以下であると、浴室サウナ装置１７は通信手段７を介して浴室床暖房装置３に床暖房運転開始信号を送信し、タイマーカウントをスタートする。その後タイマーカウントが所定時間のＴ１分例えば２０分以上になると、通信手段７を介して浴室床暖房装置３に床暖房運転停止信号を送信し、タイマーカウントをリセットする。
【００８７】
また図３に示すように、浴室床暖房装置３は浴室サウナ装置１７から送信された床暖房運転開始信号を通信手段８を介して受信すると、床暖房運転を開始する。その後浴室サウナ装置１７から送信された床暖房運転停止信号を通信手段８を介して受信すると、床暖房運転を停止する。
【００８８】
上記構成において、浴室床温度が低い場合に浴室サウナ装置１７のサウナ運転開始時に浴室床暖房装置３の床暖房運転を開始し自動で床暖房を停止することとなり、サウナ運転時に浴室床面を速く暖めることができ、使用者が手間をかけることなく待機時間を短くすることとなる。
【００８９】
（実施の形態６）
実施の形態１乃至５と同一部分は同一符号を附し詳細な説明は省略する。本実施の形態は実施の形態５の浴室サウナシステム１８と同じ構成である。
【００９０】
次に浴室サウナ装置１７の運転状態（運転／停止）と、浴室床暖房装置３との運転状態（運転／停止）の流れを、図３および９を参照しながら説明する。図９に示すように浴室サウナ装置１７がサウナ運転を開始すると、非接触型温度センサ１６により検知した浴室床温度が所定値のＸ３℃例えば１５℃を越えると、浴室床暖房装置３には床暖房運転開始信号を送信せず、Ｘ３℃以下であると、浴室サウナ装置１７は通信手段７を介して浴室床暖房装置３に床暖房運転開始信号を送信し、その後非接触型温度センサ１６により検知した浴室床温度が所定値のＸ４℃例えば２５℃以上になると、通信手段７を介して浴室床暖房装置３に床暖房運転停止信号を送信する。
【００９１】
また図３に示すように、浴室床暖房装置３は浴室サウナ装置１７から送信された床暖房運転開始信号を通信手段８を介して受信すると、床暖房運転を開始する。その後浴室サウナ装置１７から送信された床暖房運転停止信号を通信手段８を介して受信すると、床暖房運転を停止する。
【００９２】
上記構成において、浴室床温度が低い場合に浴室サウナ装置１７のサウナ運転開始時に浴室床暖房装置３の床暖房運転を開始し自動で床暖房を停止することとなり、サウナ運転時に浴室床面を速く暖めることができ、使用者が手間をかけることなく待機時間を短くすることとなる。
【００９３】
（実施の形態７）
実施の形態１乃至５と同一部分は同一符号を附し詳細な説明は省略する。本実施の形態は実施の形態５の浴室サウナ装置１７の構成に浴室内温度を測定する温度検知手段としての温度センサ１３を加えた浴室サウナ装置２０と、浴室床暖房装置３とを備えた浴室サウナシステム２１である。温度センサ１３は循環ファン４の吸込み口付近であって浴室内温度を測定できる箇所に配する。
【００９４】
次に浴室サウナ装置２０の運転状態（運転／停止）と、浴室床暖房装置３との運転状態（運転／停止）の流れを、図３および１０を参照しながら説明する。図１０に示すように浴室サウナ装置２０がサウナ運転を開始すると、非接触型温度センサ１６により検知した浴室床温度が所定値のＸ３℃例えば１５℃を越えると、浴室床暖房装置３には床暖房運転開始信号を送信せず、Ｘ３℃以下であると、浴室サウナ装置２０は通信手段７を介して浴室床暖房装置３に床暖房運転開始信号を送信し、その後温度センサ１３により検知した浴室床温度がＸ２℃例えば３５℃以上になると、通信手段７を介して浴室床暖房装置３に床暖房運転停止信号を送信する。
【００９５】
また図３に示すように、浴室床暖房装置３は浴室サウナ装置２０から送信された床暖房運転開始信号を通信手段８を介して受信すると、床暖房運転を開始する。その後浴室サウナ装置２０から送信された床暖房運転停止信号を通信手段８を介して受信すると、床暖房運転を停止する。
【００９６】
上記構成において、浴室床温度が低い場合に浴室サウナ装置２０のサウナ運転開始時に浴室床暖房装置３の床暖房運転を開始し自動で床暖房を停止することとなり、サウナ運転時に浴室床面を速く暖めることができ、使用者が手間をかけることなく待機時間を短くすることとなる。
【産業上の利用可能性】
【００９７】
以上のように本発明の浴室サウナシステムは、使用者が手間をかけることなく待機時間を短くすることができるもので、住居用のサウナシステムはもとより、業務用などの他用途のサウナシステムなどにも適用できる。特に冬期等に浴室内温度が低くなる住宅で有用である。
【図面の簡単な説明】
【００９８】
【図１】本発明の実施の形態１の浴室サウナシステムの構成図
【図２】本発明の実施の形態１の浴室サウナ装置の運転状態のフローチャート
【図３】本発明の実施の形態１、３、４、５、６、７の浴室床暖房装置の運転状態のフローチャート
【図４】本発明の実施の形態２の浴室サウナ装置の運転状態を示すフローチャート
【図５】本発明の実施の形態２の浴室床暖房装置の運転状態を示すフローチャート
【図６】本発明の実施の形態３の浴室サウナ装置の運転状態を示すフローチャート
【図７】本発明の実施の形態４の浴室サウナ装置の運転状態を示すフローチャート
【図８】本発明の実施の形態５の浴室サウナ装置の運転状態を示すフローチャート
【図９】本発明の実施の形態６の浴室サウナ装置の運転状態を示すフローチャート
【図１０】本発明の実施の形態７の浴室サウナ装置の運転状態を示すフローチャート
【図１１】従来の浴室サウナ装置の構成図
【符号の説明】
【００９９】
１      浴室サウナシステム
２      浴室サウナ装置
３      浴室床暖房装置
４      循環ファン
５      ＰＴＣヒータ
６      ミスト噴霧手段
７      通信手段
８      通信手段
９      通信線
１０    給水管
１１    給水弁
１２    ミストノズル
１３    温度センサ
１４    浴室サウナ装置
１５    浴室サウナシステム
１６    非接触型温度センサ
１７    浴室サウナ装置
１８    浴室サウナシステム
１９    フロントパネル
２０    浴室サウナ装置
２１    浴室サウナシステム
２２    熱供給手段
１０１  ミスト発生装置
１０２  浴室暖房換気乾燥装置
１０３  ヒートポンプ給湯システム
【図１】
2008237281.tif 000003
【図２】
2008237281.tif 000004
【図３】
2008237281.tif 000005
【図４】
2008237281.tif 000006
【図５】
2008237281.tif 000007
【図６】
2008237281.tif 000008
【図７】
2008237281.tif 000009
【図８】
2008237281.tif 000010
【図９】
2008237281.tif 000011
【図１０】
2008237281.tif 000012
【図１１】
2008237281.tif 000013